(57)【要約】      （修正有）【課題】水性または油性の絵の具が水溶されている絵の具ペンを結合させた状態で、口から排出された風を用いて絵の具ペン先端のペン芯に吸収された絵の具を噴射させながら絵を描くことができるブローペンを提供する。【解決手段】油性または水性の絵の具が貯蔵された絵の具ペン１０が結合され、口で風を吹いて絵の具ペン先端のペン芯に吸収されている絵の具を噴射させて絵を描くブローペン１００において、絵の具ペン１０が結合され、内部から吐き出される風を用いて、ペン芯に吸収された絵の具を噴射口を通じて外部に噴射させる噴射誘導部１１０と、フレキシブルな材質で所定の長さを有し、噴射誘導部の側面に一端部が連結され、他端部にはユーザの口に接触されて、ユーザの口から風が注入される注入部１３０が連結されるチューブ１２０と、を含む。【選択図】図１
2019093694.tif 000002
【特許請求の範囲】
【請求項１】
油性または水性の絵の具が収容された絵の具ペン（１０）が結合され、口で風を吹いて、前記絵の具ペン先端のペン芯（１４）に吸収されている絵の具を噴射させて絵を描くブローペン（１００）において、
前記絵の具ペンが結合され、内部から排出される風を用いて、前記ペン芯に吸収された絵の具を噴射口（１１１）を通じて外部に噴射させる噴射誘導部（１１０）と、
フレキシブルな材質で所定の長さを有し、前記噴射誘導部の側面に一端部が連結され、他端部にはユーザの口に接触されて、ユーザの口から風が注入される注入部（１３０）が連結されるチューブ（１２０）と、
を含むブローペン。
【請求項２】
前記噴射誘導部の内側には、前記チューブから供給された風が前記ペン芯の外側をぐるりと取り囲んだ状態で前記噴射口に向けて排出されるように、風の移動を誘導する多数のガイド板（１１４）が周りに沿って等間隔で突出していることを特徴とする請求項１に記載のブローペン。
【請求項３】
前記ガイド板は、前記絵の具ペンが挿設される固定部（１１５）と、前記絵の具ペンの先端部（１１）と間隙を形成するガイド部（１１６）と、を含むことを特徴とする請求項２に記載のブローペン。
【請求項４】
前記噴射口は、外広内狭の形態からなり、前記噴射口を通じて排出される風は、ベンチュリ効果によって散布しながら排出されることによって、前記ペン芯の絵の具も、風によって散布されるように噴射されることを特徴とする請求項１に記載のブローペン。
【発明の詳細な説明】
【技術分野】
【０００１】
本発明は、ブローペンに係り、より詳細には、水性または油性の絵の具が水溶されている絵の具ペンを結合させた状態で口で空気を吹き入れて絵の具ペンのペン芯に吸収されている絵の具を噴射させながら絵を描くように使えるブローペンに関する。
【背景技術】
【０００２】
従来、子供の興味誘発と使用の便利性とのために、多様な形態のペンが開発されている。そのうち、特許文献１の「ブローペン」のように絵の具ペンに貯蔵された油性または水性の絵の具を噴射させて絵を描くことができる形態のペンが発売された。しかし、前記発明は、ピストンのポンピング運動時に、ペンの内部に生成される風を用いて絵の具を噴射させるように作動するが、風を生成するために、ピストンを引き続きポンピングさせることが煩わしく、生成される風量が多くなくて、絵の具が持続的に噴射されないという問題点があった。
【０００３】
これにより、ペンの端部を口で吹いてペンの内部に空気を直接吹き入れることによって、絵の具を噴射させるブローペンが開発されたが、口でペンを直接吹くためには、腰をかがめた状態で使用しなければならないという短所があり、噴射された絵の具が紙にぶつかって飛散することによって、顔に付くなどの非衛生的な問題点がある。
【先行技術文献】
【特許文献】
【０００４】
【特許文献１】大韓民国公開特許第１０−２００１−０１００３３２号、「ブローペン」
【特許文献２】大韓民国公開特許第１０−２００５−００２２２２８号、「車両塗色用ペン」
【発明の概要】
【発明が解決しようとする課題】
【０００５】
本発明は、前記問題点を解消するために案出されたものであって、本発明の目的は、水性または油性の絵の具が水溶されている絵の具ペンを結合させた状態で、口から排出された風を用いて絵の具ペン先端のペン芯に吸収された絵の具を噴射させながら絵を描くことができるブローペンを提供するところにある。
【０００６】
本発明の他の目的は、絵の具ペンが結合される部分とユーザの口から風が注入される部分とを分離することによって、ペン芯の絵の具を噴射させながら絵を描いても、ユーザの顔に絵の具の飛散なしに衛生的に絵を描くように使えるブローペンを提供するところにある。
【０００７】
本発明のさらに他の目的は、ペン芯の外側の周りに沿って風が均一に排出されて、絵の具を多方向に均一に噴射させることができるブローペンを提供するところにある。
【０００８】
一方、本発明に明示されていないさらに他の目的は、後述する詳細な説明及びその効果から容易に推論することができる範囲内でさらに考慮される。
【課題を解決するための手段】
【０００９】
前記目的を果たすための本発明によるブローペンは、油性または水性の絵の具が貯蔵された絵の具ペンが結合され、口で風を吹いて絵の具ペン先端のペン芯に吸収されている絵の具を噴射させて絵を描くブローペンにおいて、絵の具ペンが結合され、内部から吐き出される風を用いて、ペン芯に吸収された絵の具を噴射口を通じて外部に噴射させる噴射誘導部と、フレキシブルな材質で所定の長さを有し、噴射誘導部の側面に一端部が連結され、他端部にはユーザの口に接触されて、ユーザの口から風が注入される注入部が連結されるチューブと、を含む。
【００１０】
ここで、噴射誘導部の内側には、チューブから供給された風がペン芯の外側をぐるりと取り囲んだ状態で噴射口に向けて排出されるように、風の移動を誘導する多数のガイド板が周りに沿って等間隔で突出する。
【００１１】
ここで、ガイド板は、絵の具ペンが挿設される固定部と、絵の具ペンの先端部と間隙を形成するガイド部と、を含みうる。
【００１２】
ここで、噴射口は、外広内狭の形態からなり、噴射口を通じて排出される風は、ベンチュリ効果によって散布しながら排出されることによって、ペン芯の絵の具も、風によって散布されるように噴射される。
【発明の効果】
【００１３】
本発明によるブローペンは、ユーザの口を通じて注入された風が噴射誘導口を経て噴射口に排出される場合、ベンチュリ効果によって風の排出と共に噴射口に位置するペン芯の絵の具が散布されるように噴射されるので、口で風を吹く動作を通じて絵の具を噴射させながら絵を描くように作用することによって、子供が面白くペンを使用することができる。
【００１４】
また、噴射誘導部の内部から噴射口に供給・排出される風が、多数のガイド板の間に均一に分布された後、下方に移動することによって、風が噴射誘導部の内部で何れか一側にかたよらず、絵の具ペンのペン芯の外側を均一に取り囲んだ状態で噴射口に向けて排出されるので、風と共に噴射されるペン芯の絵の具も、四方に均一に散布されるように噴射されるという長所がある。
【００１５】
また、絵の具ペンが結合される噴射誘導部とユーザの口に接触されて風が注入される注入部とがチューブを通じて離隔した位置に配されるので、絵の具を噴射させながら絵を描いても、ユーザに飛散の恐れなしに衛生的に絵の具を噴射して絵を描き、注入部から噴射誘導部に風を伝達するチューブがフレキシブルに曲がるように備えられることによって、口を通じて風を注入する中にもペンを自在に移動させながら使えるという長所がある。
【図面の簡単な説明】
【００１６】
【図１】本発明の一実施形態によるブローペンに絵の具ペンが結合された形状を全体的に示す斜視図である。
【図２】本発明の一実施形態による噴射誘導部に絵の具ペンが結合された状態の断面図である。
【図３】図２に示された‘Ａ−Ａ’の断面図である。
【図４】本発明の一実施形態によるブローペンを用いて絵の具ペンから絵の具を噴射する形状を示す使用状態図である。
【発明を実施するための形態】
【００１７】
本発明の目的、特定の長所及び新規な特徴は、添付図面と関連する以下の詳細な説明と、望ましい実施形態と、からさらに明らかになる。また、使われた用語は、本発明での機能を考慮して定義された用語であって、これは、ユーザまたは運用者の意図または慣例によって変わりうる。したがって、このような用語に対する定義は、本明細書の全般に亘った内容に基づいて下されなければならない。
【００１８】
各図面の構成要素に参照符号を付け加えるに当って、同じ構成要素に対しては、たとえ他の図面上に表示されても、可能な限り同じ符号を有させることに留意しなければならない。また、本発明を説明するに当って、関連した公知の構成または機能についての具体的な説明が、本発明の要旨を不明にする恐れがあると判断される場合には、その詳細な説明は省略する。
【００１９】
また、本発明の構成要素を説明するに当たって、第１、第２、Ａ、Ｂ、（ａ）、（ｂ）などの用語を使用することができる。このような用語は、その構成要素を他の構成要素と区別するためのものであり、その用語によって当該構成要素の本質や順番または順序などが限定されるものではない。ある構成要素が、他の構成要素に“連結”、“結合”または“接続”されると記載された場合、その構成要素は、他の構成要素に直接に連結または接続されうるが、各構成要素の間に他の構成要素が“連結”、“結合”または“接続”されうると理解しなければならない。
【００２０】
以下、図面を参照して、本発明の一実施形態の構成及び作用を詳しく説明する。
【００２１】
まず、図１には、本発明の一実施形態によるブローペンに絵の具ペンが結合されている形状を全体的に示す斜視図が示されており、図２には、本発明の一実施形態による噴射誘導部に絵の具ペンが結合された状態の断面図が示されている。
【００２２】
図１と図２とを参照して説明すれば、本発明の一実施形態によるブローペン１００は、絵の具ペン１０が結合され、内部から排出される風によって絵の具ペン１０先端のペン芯１４に吸収されている絵の具を外部に噴射させる噴射誘導部１１０と、フレキシブルな材質で所定の長さを有し、噴射誘導部１１０の側面に一端部が連結されているチューブ１２０と、チューブ１２０の他端部に連結され、ユーザの口に接触されて、ユーザの口から風が注入される注入部１３０と、を含んで構成される。
【００２３】
本発明の一実施形態によるブローペン１００に結合される絵の具ペン１０には、油性または水性の絵の具が収容される。絵の具ペン１０の先端には、内部の絵の具が吸収されている心であるペン芯１４が備えられる。ペン芯１４は、絵の具ペン１０の内部に収容された絵の具が持続的に流入されるので、常に絵の具がしっとりと吸収されている状態を保持する。一方、本発明の一実施形態による絵の具ペン１０は、従来のサインペンと類似した形態及び構造を有し、これにより、絵の具ペン１０は、単独的にサインペンのように文を書くか、絵を描くのに使用することもできる。絵の具ペン１０は、噴射誘導部１１０に分離可能な形態で結合され、絵の具ペン１０の先端部１１には、噴射誘導部１１０のガイド板１１４に挿設されるように、段差の嵌挿部１２が形成される。
【００２４】
図３には、図２に示された‘Ａ−Ａ’の断面図が示されている。
【００２５】
図２と図３とを参照して説明すれば、噴射誘導部１１０は、絵の具ペン１０が結合された状態でチューブ１２０を通じてユーザの口から供給された風を用いて、絵の具ペン１０先端のペン芯１４に吸収されている絵の具を噴射・排出する。
【００２６】
噴射誘導部１１０の内部は、空いており、両端は開放される。絵の具ペン１０は、噴射誘導部１１０の後端部から挿設される。噴射誘導部１１０の先端部には、内部から移動した風が排出される噴射口１１１が備えられる。噴射口１１１には、ペン芯１４の先端が位置する。噴射口１１１は、外広内狭の形態で内側から外側に行くほど直径が大きくなる漏斗状の形態を有する。このような噴射口１１１の形態によって噴射誘導部１１０の内部で移動して噴射口１１１に排出される風は、噴射誘導部１１０の内側直径よりもサイズが小さな噴射口１１１を通過する時に、ベンチュリ効果が発生して、噴射口１１１の外側に散布されるように排出される。この際、前記のように噴射口１１１に排出される風の作用によって、噴射口１１１に位置するペン芯１４の絵の具も、風に沿って噴射口１１１の外側に散布されるように噴射される。
【００２７】
図１と図２、図４を参照すれば、噴射誘導部１１０の側面には、チューブ１２０が連結される連結部１１２が備えられる。連結部１１２を通じて噴射誘導部１１０に結合されたチューブ１２０は、噴射誘導部１１０の内部と連通される。チューブ１２０は、所定の長さを有し、フレキシブルな材質で製作されて柔軟に曲がる。チューブ１２０は、前記のように噴射誘導部１１０の連結部１１２に一端部が連結され、他端部は、注入部１３０が連結される。注入部１３０は、ユーザの口が接触される部分であって、ユーザは、注入部１３０を通じて風を吹いて供給する。噴射誘導部１１０の内部に供給される風は、ユーザの口から生成された風であって、チューブ１２０を通じて伝達される。
【００２８】
この際、本発明によるブローペン１００は、従来のペンのように口に直接つけて吹く方式ではない所定の長さを有し、フレキシブルに曲がるチューブ１２０を通じて風を供給する方式であって、ペンの使用が自由であり、飛散の恐れなしに安全であり、衛生的に絵の具を噴射して絵を描くことができるという長所がある。
【００２９】
再び、図２と３とを参照して説明すれば、本発明の一実施形態によるブローペン１００は、チューブ１２０を通じて噴射誘導部１１０の側面に供給される風がペン芯１４の外側をぐるりと取り囲んだ状態で噴射口１１１に向けて均一に排出されるように、風の移動方向を誘導する。このために、噴射誘導部１１０の内側には、風の移動方向を誘導する多数のガイド板１１４が備えられる。
【００３０】
ガイド板１１４は、噴射誘導部１１０の内側の周りに沿って等間隔で多数個が突出する。ガイド板１１４は、噴射誘導部１１０の内側先端部から後端部に延びる所定の長さを有する。ガイド板１１４は、絵の具ペン１０が噴射誘導部１１０に挿入される場合、挿設される固定部１１５と、絵の具ペン１０の先端部１１と間隙１１８を形成するガイド部１１６と、からなる。ここで、噴射誘導部１１０の内側の周りに沿って所定の長さを有し、突出しているガイド板１１４の間には、風が下方に向けて移動する垂直移動路１１９が設けられる。すなわち、噴射誘導部１１０の内側に供給される風は、ガイド板１１４と絵の具ペン１０との間隙１１８を通じて絵の具ペン１０を取り囲むように均一に移動した状態で多数のガイド板１１４に沿って下方に移動することによって、絵の具ペン１０のペン芯１４の外側をぐるりと取り囲んだ状態で噴射口１１１に向けて多方向に均一に排出される。
【００３１】
言い換えれば、本発明によるブローペン１１０は、噴射誘導部１１０の内部から噴射口１１１に供給・排出される風が多数のガイド板１１４の間に均一に分布された後、下方に移動することによって、風が噴射誘導部１１０の内部で何れか一側にかたよらず、ペン芯１４の周りに沿って多方向に均一に分布されるので、風と共に噴射される絵の具ペン１０の心１４の絵の具も、均一に散布されるように噴射されるという長所がある。
【００３２】
以上で記載された“含む”、“構成する”、または“有する”などの用語は、特に取り立てて言及しない限り、当該構成要素が内在されうるということを意味するものなので、他の構成要素を除くものではなく、他の構成要素をさらに含みうるものと解釈されねばならない。技術的であるか、科学的な用語を含んだあらゆる用語は、取り立てて特に定義しない限り、当業者によって一般的に理解されるものと同じ意味を有する。予め定義された用語のように、一般的に使われる用語は、関連記述の文脈上の意味と一致するものと解釈されねばならず、本発明で明白に定義しない限り、理想的であるか、過度に形式的な意味として解釈されない。
【００３３】
以上の説明は、本発明の技術思想を例示的に説明したものに過ぎないものであって、当業者ならば、本発明の本質的な特性から外れない範囲で多様な修正及び変形が可能であろう。したがって、本発明に開示された実施形態は、本発明の技術思想を限定するためのものではなく、説明するためのものであり、このような実施形態によって、本発明の技術思想の範囲が限定されるものではない。本発明の保護範囲は、下記の特許請求の範囲によって解釈されねばならず、それと同等な範囲内にあるあらゆる技術思想は、本発明の権利範囲に含まれると解釈されねばならない。
【符号の説明】
【００３４】
１０：絵の具ペン
１４：ペン芯
１００：ブローペン
１１０：噴射誘導部
１１１：噴射口
１１４：ガイド板
１２０：チューブ
１３０：注入部
【図１】
2019093694.tif 000003
【図２】
2019093694.tif 000004
【図３】
2019093694.tif 000005
【図４】
2019093694.tif 000006
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
油性または水性の絵の具が収容された絵の具ペン（１０）が結合され、口で風を吹いて、前記絵の具ペン先端のペン芯（１４）に吸収されている絵の具を噴射させて絵を描くブローペン（１００）において、
前記絵の具ペン（１４）が結合され、内部から排出される風を用いて、前記ペン芯（１４）に吸収された絵の具を噴射口（１１１）を通じて外部に噴射させる噴射誘導部（１１０）と、
フレキシブルな材質で所定の長さを有し、前記噴射誘導部（１１０）の側面に一端部が連結され、他端部にはユーザの口に接触されて、ユーザの口から風が注入される注入部（１３０）が連結されるチューブ（１２０）と、
を含み、
前記噴射誘導部（１１０）の内側には、前記ユーザの口から注入され前記噴射誘導部（１１０）の内側に到達した風の移動方向を誘導する多数のガイド板（１１４）が備えられ、
前記多数のガイド板（１１４）の各々は、前記噴射誘導部（１１０）の内側周囲に沿って等間隔に、前記多数のガイド板（１１４）の各々と前記絵の具ペン（１０）との間に間隙（１１８）が形成されるように突出配置される、
ブローペン。
【請求項２】
前記噴射誘導部（１１０）の内側周囲に沿って所定の長さを有して突出している多数のガイド板（１１４）の間には、風が移動する垂直移動路（１１９）が設けられて、前記噴射誘導部（１１０）の内側に供給される風は、前記間隙（１１８）を介して前記絵の具ペン（１０）を覆うように均等に移動した状態で前記多数のガイド板（１１４）に沿って移動する、
請求項１に記載のブローペン。
【請求項３】
前記ガイド板は、前記絵の具ペンが挿設される固定部（１１５）と、前記絵の具ペンの先端部（１１）と間隙を形成するガイド部（１１６）と、を含むことを特徴とする請求項１に記載のブローペン。
【請求項４】
前記噴射口は、外広内狭の形態からなり、前記噴射口を通じて排出される風は、ベンチュリ効果によって散布しながら排出されることによって、前記ペン芯の絵の具も、風によって散布されるように噴射されることを特徴とする請求項１に記載のブローペン。